(57)【要約】【課題】本発明の目的は、染料インク及び顔料インク適性をもち、銀塩写真並みの高光沢感を有し、更に光沢発現層表面の耐傷性にも極めて優れ、印画紙基材又はフィルム基材を用いて製造したインクジェット記録媒体に匹敵する画質と均一な光沢感を有し、かつ、リサイクル可能なインクジェット記録媒体及びその製造方法を提供することである。【解決手段】本発明に係るインクジェット記録用光沢紙は、紙基材の少なくとも片面に１層以上のインク受容層が設けられ、インク受容層の最表層上に、顔料と結着剤と潤滑剤とを含有する光沢発現層がキャストコート法によって設けられたインクジェット記録用光沢紙であって、光沢発現層が、顔料として気相法シリカと単分散球状コロイダルシリカとを含有し、かつ、潤滑剤として高級脂肪酸塩とポリエチレンエマルジョンとを含有し、かつ、単分散球状コロイダルシリカの平均粒子径が５０〜３００ｎｍであることを特徴とする。【選択図】なし【特許請求の範囲】
【請求項１】
紙基材の少なくとも片面に１層以上のインク受容層が設けられ、該インク受容層の最表層上に、顔料と結着剤と潤滑剤とを含有する光沢発現層がキャストコート法によって設けられたインクジェット記録用光沢紙であって、
前記光沢発現層が、前記顔料として気相法シリカと単分散球状コロイダルシリカとを含有し、かつ、前記潤滑剤として高級脂肪酸塩とポリエチレンエマルジョンとを含有し、かつ、前記単分散球状コロイダルシリカの平均粒子径が５０〜３００ｎｍであることを特徴とするインクジェット記録用光沢紙。
【請求項２】
前記単分散球状コロイダルシリカと前記気相法シリカとの質量比は、２０／８０〜７０／３０であることを特徴とする請求項１に記載のインクジェット記録用光沢紙。
【請求項３】
前記気相法シリカのＢＥＴ比表面積は、２００〜４００ｍ２／ｇであることを特徴とする請求項１又は２に記載のインクジェット記録用光沢紙。
【請求項４】
前記光沢発現層を形成するキャストコート法が凝固法であり、かつ、凝固液が、前記潤滑剤として高級脂肪酸塩とポリエチレンエマルジョンとを含有していることを特徴とする請求項１〜３のいずれか一つに記載のインクジェット記録用光沢紙。
【請求項５】
前記光沢発現層は、前記高級脂肪酸塩としてラウリン酸塩、ミリスチン酸塩、オレイン酸塩のうち、いずれか１種以上を含有することを特徴とする請求項１〜４のいずれか一つに記載のインクジェット記録用光沢紙。
【請求項６】
前記光沢発現層は、前記結着剤としてシラノール変性ポリビニルアルコールを含有し、かつ、該シラノール変性ポリビニルアルコールの含有量は、前記光沢発現層に含有される前記顔料１００質量部に対して１〜１０質量部であることを特徴とする請求項１〜５のいずれか一つに記載のインクジェット記録用光沢紙。
【請求項７】
前記凝固液は、凝固剤としてホウ酸ナトリウム若しくはホウ酸のいずれか一方又はその両方を含有することを特徴とする請求項１〜６のいずれか一つに記載のインクジェット記録用光沢紙。
【請求項８】
紙基材の少なくとも片面に１層以上のインク受容層を設け、該インク受容層の最表層上に、顔料と結着剤と潤滑剤とを含有する光沢発現層をキャストコート法によって設けたインクジェット記録用光沢紙の製造方法であって、
該インク受容層の最表層上に顔料として気相法シリカ及び単分散球状コロイダルシリカと結着剤とを含有し、かつ、前記単分散球状コロイダルシリカの平均粒子径が５０〜３００ｎｍである光沢発現層用塗工液を塗工する工程と、
得られた塗工面が湿潤状態にあるうちに、凝固剤と前記潤滑剤とを含有し、かつ、該潤滑剤が、高級脂肪酸塩とポリエチレンエマルジョンとを含有する凝固液を前記塗工面に塗布して凝固処理し、加熱した鏡面仕上げの金属面に圧着して乾燥し光沢発現層を形成する工程を有することを特徴とするインクジェット記録用光沢紙の製造方法。
【発明の詳細な説明】
【技術分野】
【０００１】
本発明は、キャストコート法で製造されるインクジェット記録用光沢紙において、特に染料インク及び顔料インクに関して良好なインク吸収性と画像鮮明性をもちながら、銀塩写真並みの高光沢感を有し、更にプリンター搬送傷が発生しにくいインクジェット記録用光沢紙及びその製造方法に関する。
【背景技術】
【０００２】
インクジェット記録方式は、インクの液滴を吐出し、記録紙上に付着させることによってドットを形成し、記録を行う方式である。近年、インクジェットプリンター、インク、記録媒体の技術的進歩によって、印字品質の高い記録が可能になってきている。一般の普通紙でも一定以上のサイズ性があれば、滲みも少なく、ある程度の印字品質が期待できる。しかし、より高い印字品質を求める場合には、インクジェットプリンターのインクに対して適性のあるインク受容層を各種基材上に設けた専用の媒体が使用される。これらインクジェット記録媒体としては、紙若しくはフィルムのいずれか一方又はその両方を支持体として、顔料と結着剤とを主成分とする顔料塗工層又は顔料を含まない樹脂塗工層を表面に設けたものが多く使用される。
【０００３】
インクジェット記録媒体は、更に表面状態からマット調媒体と光沢媒体とに分類される。銀塩写真により近い画像品質を要求する場合には、後者の光沢媒体が使用される。光沢媒体の製法としては、一般的方法は、キャストコート法によってインク受容層を形成し表面に光沢を付与する方法と印画紙用基材上にインク受容層を形成する方法とがある。
【０００４】
後者の印画紙用基材は、一般にＲＣ紙（レジンコート紙）といわれるように、紙の基材上にポリエチレンのフィルム層が形成されているため、インク受容層をその表面に形成した場合、フィルム面が平滑であることからインク受容層表面も平滑で、光沢のある表面が形成しやすい。しかし、全体のコストは、インク吸収性をあげるために塗工量を多くする必要があり、また基材そのものが紙よりも高価であることから前者のキャストコート法による光沢媒体に比べ、高いものとなる。また、廃棄する場合には、複合素材であることからリサイクルができないといった問題点もあり、エコロジーの観点からは紙ベースでリサイクル可能なキャストコート法で製造された光沢媒体の方に優位性がある。
【０００５】
一方で、従来の主流であった染料着色剤を使用した染料インクだけでなく、耐水性、耐光性など保存性に優れた着色顔料を分散した顔料インクも使用されるようになっている。これら顔料インクで使用される着色顔料の平均粒子径は、およそ５０〜１００ｎｍであって、染料着色剤分子の５〜１０倍の大きさであるため、必然的に吸収速度も異なる。したがって、光沢媒体に両者のインク適性を持たせるためには、従来の染料インク専用の記録媒体とは異なるインク受容層の設計が必要である。
【０００６】
光沢媒体の表面には高いインク吸収性と同時に高い光沢性が必要であることから、光沢発現層に使用される顔料にはナノオーダーの高比表面積を有する極微細粒子が使用されることが多くなってきている。これら極微細粒子の例として気相法シリカが挙げられる。
【０００７】
染料インク及び顔料インク適性を有するインクジェット記録用光沢紙の提案として、例えば、光沢発現層の顔料として気相法シリカと二次粒子を有するコロイダルシリカを使用して光沢度を高いレベルで調整するインクジェット記録用光沢紙が提案されている（例えば、特許文献１を参照。）。
【０００８】
また、染料インク及び顔料インク適性を有するインクジェット記録用光沢紙の提案として、ノニオン系剥離剤、アニオン系剥離剤及び界面活性剤を含有させた凝固液を塗布する凝固法によってキャストコート仕上げしたインクジェット記録用紙が提案されている（例えば、特許文献２を参照。）。
【先行技術文献】
【特許文献】
【０００９】
【特許文献１】特開２００５−２１２３２７号公報
【特許文献２】特開２００９−５６６７５号公報
【発明の概要】
【発明が解決しようとする課題】
【００１０】
気相法シリカを光沢発現層の顔料として使用した場合、粒子同士の結合力の弱さに起因する塗工層強度の低下に伴い、光沢面のプリンター搬送傷が目立ちやすいといった問題点がある。さらに、高比表面積性由来の高摩擦性が原因となり、プリンターの搬送ローラとの接触時に光沢面の表面にかかる負荷が大きいため、前記プリンター搬送傷の発生を助長している。
【００１１】
特許文献１又は２に記載の技術の場合においては、高い光沢感を有しており、かつ、染料インク及び顔料インク適性に優れている一方で、前述した原因によってプリンター搬送時に光沢面に傷が発生するという問題がある。このように、特許文献１又は２に記載のインクジェット記録用光沢紙は、光沢感に優れているが故に光沢発現層表面に傷が入りやすい（目立ちやすい）という欠点をもつ。
【００１２】
本発明者らによる光沢発現層表面の耐傷性に関する研究結果から、前記各提案内容では染料インク及び顔料インク適性と光沢発現層表面の耐傷性とを両立することは困難であるとの結論に至った。このような現状を鑑みると、キャストコート法によって製造するインクジェット記録用光沢紙において、染料インク及び顔料インク適性をもち、印画紙基材又はフィルム基材を用いて製造されたインクジェット記録媒体を超える画質と均一な光沢感を有し、かつ、非常に優れた光沢発現層表面耐傷性を併せもつインクジェット記録媒体は全くないのが現状である。
【００１３】
そこで、本発明の目的は、キャストコート法で製造されるインクジェット記録用光沢紙において、染料インク及び顔料インク適性をもちながら、銀塩写真並みの高光沢感を有し、更に光沢発現層表面の耐傷性にも極めて優れ、印画紙基材又はフィルム基材を用いて製造したインクジェット記録媒体に匹敵する画質と均一な光沢感を有し、かつ、リサイクル可能なインクジェット記録媒体及びその製造方法を提供することである。
【課題を解決するための手段】
【００１４】
本発明に係るインクジェット記録用光沢紙は、紙基材の少なくとも片面に１層以上のインク受容層が設けられ、該インク受容層の最表層上に、顔料と結着剤と潤滑剤とを含有する光沢発現層がキャストコート法によって設けられたインクジェット記録用光沢紙であって、前記光沢発現層が、前記顔料として気相法シリカと単分散球状コロイダルシリカとを含有し、かつ、前記潤滑剤として高級脂肪酸塩とポリエチレンエマルジョンとを含有し、かつ、前記単分散球状コロイダルシリカの平均粒子径が５０〜３００ｎｍであることを特徴とする。
【００１５】
本発明に係るインクジェット記録用光沢紙では、前記単分散球状コロイダルシリカと前記気相法シリカとの質量比は、２０／８０〜７０／３０であることが好ましい。染料インク及び顔料インクのインク適性（吸収性、画像鮮明性）と光沢面耐傷性との両立がより高いレベルで可能となる。
【００１６】
本発明に係るインクジェット記録用光沢紙では、前記気相法シリカのＢＥＴ比表面積は、２００〜４００ｍ２／ｇであることが好ましい。染料及び顔料インクのインク吸収性と画像鮮明性とをより優れたものにすることが可能となる。
【００１７】
本発明に係るインクジェット記録用光沢紙では、前記光沢発現層を形成するキャストコート法が凝固法であり、かつ、凝固液が、前記潤滑剤として高級脂肪酸塩とポリエチレンエマルジョンとを含有していることが好ましい。光沢発現層表面の潤滑性をより優れたものとし、プリンター搬送傷を低減させることが可能となる。
【００１８】
本発明に係るインクジェット記録用光沢紙では、前記光沢発現層は、前記高級脂肪酸塩としてラウリン酸塩、ミリスチン酸塩、オレイン酸塩のうち、いずれか１種以上を含有することが好ましい。光沢発現層表面の潤滑性をより優れたものとし、プリンター搬送傷を低減させることが可能となる。
【００１９】
本発明に係るインクジェット記録用光沢紙では、前記光沢発現層は、前記結着剤としてシラノール変性ポリビニルアルコールを含有し、かつ、該シラノール変性ポリビニルアルコールの含有量は、前記光沢発現層に含有される前記顔料１００質量部に対して１〜１０質量部であることが好ましい。表面強度をより強くすることができ、プリンター搬送傷を低減させることが可能となる。
【００２０】
本発明に係るインクジェット記録用光沢紙では、前記凝固液は、凝固剤としてホウ酸ナトリウム若しくはホウ酸のいずれか一方又はその両方を含有することが好ましい。光沢発現層表面の光沢感をより優れたものにすることが可能となる。
【００２１】
本発明に係るインクジェット記録用光沢紙の製造方法は、紙基材の少なくとも片面に１層以上のインク受容層を設け、該インク受容層の最表層上に、顔料と結着剤と潤滑剤とを含有する光沢発現層をキャストコート法によって設けたインクジェット記録用光沢紙の製造方法であって、該インク受容層の最表層上に顔料として気相法シリカ及び単分散球状コロイダルシリカと結着剤とを含有し、かつ、前記単分散球状コロイダルシリカの平均粒子径が５０〜３００ｎｍである光沢発現層用塗工液を塗工する工程と、得られた塗工面が湿潤状態にあるうちに、凝固剤と前記潤滑剤とを含有し、かつ、該潤滑剤が、高級脂肪酸塩とポリエチレンエマルジョンとを含有する凝固液を前記塗工面に塗布して凝固処理し、加熱した鏡面仕上げの金属面（以下、キャストドラムと称すこともある。）に圧着して乾燥し光沢発現層を形成する工程を有することを特徴とする。
【発明の効果】
【００２２】
本発明のインクジェット記録用光沢紙は、キャストコート法で製造されたインクジェット記録用光沢紙でありながら、非常に良好な表面光沢感、染料インク及び顔料インクのインク適性（吸収性、画像鮮明性）と光沢発現層表面の耐傷性とを高いレベルで両立している。また、本発明のインクジェット記録用光沢紙の製造方法は、新たな工程を増やすことなく、経済的に有利に光沢発現層に耐傷性を付与することができる。さらに、本発明では、紙を基材としていることから、フィルム層を有する印画紙基材に比べ、製造コストも低く、廃棄する場合にはリサイクル可能であり、資源の有効利用という観点からも好ましい。
【発明を実施するための形態】
【００２３】
次に、本発明について実施形態を示して詳細に説明するが、本発明はこれらの記載に限定して解釈されない。本発明の効果を奏する限り、実施形態は種々の変形をしてもよい。
【００２４】
本実施形態に係るインクジェット記録用光沢紙は、紙基材の少なくとも片面に１層以上のインク受容層が設けられ、該インク受容層の最表層上に、顔料と結着剤と潤滑剤とを含有する光沢発現層がキャストコート法によって設けられたインクジェット記録用光沢紙であって、前記光沢発現層が、前記顔料として気相法シリカと単分散球状コロイダルシリカとを含有し、かつ、前記潤滑剤として高級脂肪酸塩とポリエチレンエマルジョンとを含有し、かつ、前記単分散球状コロイダルシリカの平均粒子径が５０〜３００ｎｍである。
【００２５】
キャストコート法によるインクジェット記録用光沢紙の光沢発現層に通常用いられる顔料としては、単分散球状コロイダルシリカ、複数個の球状コロイダルシリカが連結した非球状コロイダルシリカ、気相法シリカ、アルミナなどが挙げられる。
【００２６】
単分散球状コロイダルシリカは、材質として硬度が高く、耐傷性の強い表面を形成できる。反面、粒子そのものに空隙を有しないために光沢発現層を形成したときに、インク吸収性及び画像鮮明性が比較的悪い傾向にある。
【００２７】
複数個の球状コロイダルシリカが連結した非球状コロイダルシリカは、複数個の球状コロイダルシリカがランダムに連結した非球状コロイダルシリカ、複数個の球状コロイダルシリカがパールネックレス状に連結した非球状コロイダルシリカなどが知られている。
【００２８】
本発明者らの光沢発現層の耐傷性に関する研究の結果、単分散球状コロイダルシリカに比べ、非球状コロイダルシリカは、その幾何学的形状から成膜時の空隙が形成しやすく、インク吸収性に優れる一方で、成膜時の多孔質性が故に塑性変形及び割れが起こりやすく、耐傷性に極めて優れる表面性を有するという目的を達成するには不満足な点があることが判明した。また、単分散球状コロイダルシリカよりも光沢発現層表面の摩擦係数が上がりやすいということも耐傷性にとっての短所となっていることが判明した。
【００２９】
また、気相法シリカについては、その極めて高い比表面積性に由来するインク吸収の良さからインクジェット記録用光沢紙で一般的に使用される顔料であり、特に顔料インク適性に優れているが、これも非球状コロイダルシリカと同様の理由で高い耐傷性をもたせることが極めて困難である。また、光沢発現層表面の摩擦係数が上がりやすいということも耐傷性にとっての短所となっている。総じて、非球状コロイダルシリカと比較すると、更に成膜時の空隙が形成されやすいため、光沢発現層表面の塑性変形及び割れがより起こりやすく、より耐傷性に劣る傾向にある。また、非球状コロイダルシリカと比較すると、更に光沢発現層表面の摩擦係数が上がりやすいということからもより耐傷性に劣る傾向にある。
【００３０】
また、アルミナについても、インク吸収性及び光沢感に優れ、特に顔料インク適性に優れていることから極めてよく使用される顔料であるが、気相法シリカと同様、材質由来の理由で高い耐傷性をもたせることが極めて困難であるという結果である。また、光沢発現層表面の摩擦係数が上がりやすいということも耐傷性にとっての短所となっている。総じて、非球状コロイダルシリカと比較すると、更に成膜時の空隙が形成されやすいため、光沢発現層表面の塑性変形及び割れがより起こりやすく、より耐傷性に劣る傾向にある。また、非球状コロイダルシリカと比較すると、更に光沢発現層表面の摩擦係数が上がりやすいということから、より耐傷性に劣る傾向にある。また、シリカ系顔料と比較すると、高価であることも短所といえる。
【００３１】
前記研究結果によって、顔料についての性質を鑑みると、耐傷性が真に優れたインクジェット記録用光沢紙を得ようとする場合は、光沢発現層の顔料として使用できるのは球状コロイダルシリカに限定されるが、前述したようにインク吸収性及び画像鮮明性に難があり、特に顔料インク適性が全くないために染料インク及び顔料インク適性と表面耐傷性とを高いレベルでのバランスを取ろうとするには技術的課題が多く残っていた。
【００３２】
前述したように、染料インク及び顔料インクのインク吸収性と画像鮮明性とを優れたものにするためには、比較的耐傷性が低い顔料を使用せざるを得ず、それらの顔料を使用した場合には摩擦抵抗が比較的大きくなるという現象があり、光沢発現層の破壊が極力発生しにくい状態を維持しつつ摩擦抵抗を軽減させることが技術的課題として残っている。
【００３３】
また、いわゆるマット調インクジェット記録媒体と比較して、銀塩写真代替を狙った光沢発現層を有するインクジェット記録用光沢紙の方の摩擦抵抗が顕著に悪い。この理由は、次のように推察される。すなわち、光沢発現層に使用される顔料は、いわゆるマット調インクジェット記録用紙に使用される顔料よりも小粒子径であることが多いため、必然的に表面が高平滑、かつ、高光沢になり、真実接触面積が増大する。その結果として摩擦抵抗が増加するものである。よって、この表面の耐傷性問題については、光沢発現層を有するインクジェット記録用紙の方が、その他のインクジェット記録用紙よりも深刻であるといえる。
【００３４】
本実施形態に係るインクジェット記録用光沢紙では、前記目的を達成するために、光沢発現層が、顔料として気相法シリカと単分散球状コロイダルシリカとを含有し、かつ、前記潤滑剤として高級脂肪酸塩とポリエチレンエマルジョンとを含有し、かつ、前記単分散球状コロイダルシリカの平均粒子径が５０〜３００ｎｍである必要がある。
【００３５】
気相法シリカは、乾式法シリカ又はヒュームドシリカとも呼ばれ、一般的には火炎加水分解法によって製造される。具体的には四塩化ケイ素などの揮発性シラン化合物の酸水素炎中における気相加水分解によって製造され、火炎の温度、酸素と水素の供給比率、原料の四塩化ケイ素供給などの条件を変更することによって得られる。本実施形態では、気相法シリカの平均一次粒子径は、５〜３０ｎｍが好ましい。より好ましくは、６〜２５ｎｍであり、特に好ましくは、７〜２０ｎｍである。５ｎｍ未満では、インク吸収性に劣る場合があり、３０ｎｍを超えると、平滑性が劣り、摩擦抵抗が大きくなるため、耐傷性に劣る場合がある。
【００３６】
本実施形態に係るインクジェット記録用光沢紙では、気相法シリカのＢＥＴ比表面積は、２００〜４００ｍ２／ｇであることが好ましい。より好ましくは２２０〜３８０ｍ２／ｇであり、特に好ましくは２５０〜３５０ｍ２／ｇである。比表面積が２００ｍ２／ｇ未満では、顔料インクの画像鮮明性に劣る場合がある。比表面積が４００ｍ２／ｇを超えると、塗工液の安定性が劣る傾向にあり、塗工性に問題が発生する場合がある。ここで、ＢＥＴ比表面積は、ＢＥＴ法によって求めた表面積である。ＢＥＴ法とは、気相吸着法による粉体の表面積測定法の一つであり、吸着など温線から１ｇの試料のもつ総表面積、すなわち比表面積を求める方法である。通常、吸着気体としては、窒素ガスが多く用いられ、吸着量を被吸着気体の圧、又は容積の変化から測定する方法が最も多く用いられている。多分子吸着のなど温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００３７】
本実施形態で使用される単分散球状コロイダルシリカは、単分散微粒子であり、粒子径がほぼ単一に揃っており、かつ、凝集もしていない。ここで、単分散とは、粒度分布がシャープで、粒子が凝集せずに個々に分散した一次粒子として存在する状態を意味する。そして、球状とは、球状に近い形状を包含し、好ましくは真球を意味する。単分散球状コロイダルシリカの平均粒子径は、５０〜３００ｎｍである。好ましくは、６０〜２００ｎｍであり、特に好ましくは、７０〜１８０ｎｍである。単分散球状コロイダルシリカの粒子径が５０ｎｍ未満では、塗工膜表面が脆くなり、かつ、摩擦係数が大きくなるために耐傷性に劣る。また、粒子径が３００ｎｍを超える場合は、塗工膜の成膜性が良好すぎて顔料インクのインク吸収性に劣る。また、本実施形態では、単分散球状コロイダルシリカは、前記粒子径の範囲内であれば、粒子径が異なるものを複数種配合して使用することが可能である。また、本実施形態に用いる単分散球状コロイダルシリカは、前記粒子径の範囲内であれば、いかなる製法のものでも使用してかまわない。単分散球状コロイダルシリカの粒子径は、主として動的光散乱法（例えば、大塚電子社製、ＤＬＳ−６５００）で求めることが可能であり、又は、高倍率観察が可能なフィールドエミッション型の電子顕微鏡で直接観察して求めることも可能である。
【００３８】
本実施形態に係るインクジェット記録用光沢紙では、単分散球状コロイダルシリカと気相法シリカとの質量比は、２０／８０〜７０／３０であることが好ましい。より好ましくは、３０／７０〜６０／４０であり、特に好ましくは、で３５／６５〜５５／４５である。単分散球状コロイダルシリカと気相法シリカとの質量比が７０／３０を超えると、顔料インクの画像鮮明性に劣る場合があり、２０／８０未満では、光沢発現層の強度が低下し、かつ、摩擦係数が高くなるために、光沢発現層表面の耐傷性に劣る場合がある。
【００３９】
前記顔料のほかに、本発明の効果を損なわない範囲において、その他の顔料を併用することができる。その他の顔料とは、例えば、コロイダルシリカ（非球状コロイダルシリカも含む。）、合成非晶質シリカ、アルミナ修飾シリカ、γ−アルミナ、θ−アルミナ、σ−アルミナ、擬ベーマイトである。ただし、染料インク・顔料インクの吸収性、画像鮮明性及び耐傷性をすべて満足させるという観点からは、前記の平均粒子径が５０〜３００ｎｍである単分散球状コロイダルシリカと前記気相法シリカとを主体顔料とする必要がある。そこで、光沢発現層の全顔料のうち、単分散球状コロイダルシリカと気相法シリカとの合計含有量を乾燥質量で７０質量％以上とすることが好ましい。より好ましくは、８０質量％以上であり、特に好ましくは、１００質量％である。
【００４０】
また、本実施形態においては、前記目的を達成するために光沢発現層に潤滑剤（ｌｕｂｒｉｃａｎｔ）を含有させる必要がある。ここで、潤滑剤とは、接触部の減摩作用を施す物質のことをいう。潤滑剤の例として、液状潤滑剤、液状潤滑剤の固化物、固体潤滑剤などが挙げられる。光沢発現層に潤滑剤を含有させる方法としては、（１）光沢発現層の塗工液中に含有させて塗工する方法、（２）光沢発現層を塗工した後に潤滑剤を含む処理液を塗工する方法がある。本実施形態においては、光沢発現層に潤滑剤を含有させるタイミング及び方法を限定せず、（１）の方法若しくは（２）の方法のいずれか一方又は両方の方法で実施してもかまわない。ただし、（２）の方法の方が、光沢発現層表面に更なる減摩作用が施されるのでより好ましい。また、本実施形態においては、光沢発現層には潤滑剤として高級脂肪酸塩とポリエチレンエマルジョンとを含有することが必要である。高級脂肪酸塩とポリエチレンエマルジョンとを併用することによって、更なる減摩作用が得られ、耐傷性を高めることができる。
【００４１】
高級脂肪酸塩としては、例えば、ラウリン酸塩、オレイン酸塩、パルミチン酸塩、ステアリン酸塩、ミリスチン酸塩がある。さらに、これらのナトリウム塩、カリウム塩、所謂石鹸を含む。また、ラウリン酸アンモニウム、オレイン酸アンモニウム、パルミチン酸アンモニウム、ステアリン酸アンモニウム、ミリスチン酸アンモニウムである。この中で、本実施形態では、光沢発現層に、高級脂肪酸塩としてラウリン酸塩、ミリスチン酸塩、オレイン酸塩のうち、いずれか１種以上を含有させることが好ましい。前記高級脂肪酸塩を含有させることによって、より光沢発現層表面の潤滑性に優れ、摩擦係数が低減してプリンター搬送傷を低減することが可能となる。
【００４２】
ポリエチレンエマルジョンは、例えば、高密度ポリエチレンのエマルジョン、低密度ポリエチレンのエマルジョンである。本実施形態では、ポリエチレンエマルジョンの種類及び製法に限定されるものではないが、融点は７０〜１２０℃であることが好ましく、より好ましくは、８０〜１１０℃である。７０℃未満では、耐傷性に劣る場合があり、１２０℃を超えると、顔料インクの画像鮮明性に劣る場合がある。ポリエチレンエマルジョンの平均一次粒子径は、１０〜５００ｎｍであることが好ましい。より好ましくは、２０〜３００ｎｍである。
【００４３】
高級脂肪酸塩は、光沢発現層の全顔料に対して、乾燥質量で０．００５〜２０．０００質量％添加することが好ましい。より好ましくは０．０１０〜１０．０００質量％である。０．００５質量％未満では、減摩作用が小さい場合があり、２０．０００質量％を超えると、写像性に劣る場合がある。また、ポリエチレンエマルジョンは、光沢発現層の全顔料に対して、乾燥質量で０．００５〜２０．０００質量％添加することが好ましい。より好ましくは０．０１０〜１０．０００質量％である。０．００５質量％未満では、減摩作用が小さい場合があり、２０．０００質量％を超えると、インク吸収性に劣る場合がある。また、透気性に劣り、キャストコート処理に適さない場合がある。そして、高級脂肪酸塩とポリエチレンエマルジョンとの質量比は９９／１〜１／９９とすることが好ましい。より好ましくは、９５／５〜５／９５である。高級脂肪酸塩とポリエチレンエマルジョンについては、それぞれ複数種を使用してもかまわない。
【００４４】
さらに、本発明の効果を損なわない限りにおいて、次に列挙する潤滑剤を併用してもかまわない。潤滑剤の種類としては、例えば、界面活性剤、ワックス、有機ケイ素化合物が挙げられる。次に、それぞれの潤滑剤について詳細に説明する。
【００４５】
界面活性剤としては、親水性部分のイオン性がカチオン性、アニオン性、両性、ノニオン性のうち、いずれも使用することが可能である。また、次にそれぞれ例示するが、本発明の効果を損なわない範囲であれば、特に例示した界面活性剤に限定されない。カチオン性のものについては、アルキルベンジルジメチルアンモニウム塩、ジアルキルトリメチルアンモニウム塩、アルキルトリメチルアンモニウム塩などの第４級アンモニウム塩系を例示することができる。アニオン性のものについては、ラウリン酸、オレイン酸、パルミチン酸、ステアリン酸、ミリスチン酸などの高級脂肪酸、モノアルキル硫酸塩、アルキルポリオキシエチレン硫酸塩、アルキルベンゼンスルホン酸塩、モノアルキルリン酸塩を例示することができる。なお、本実施形態において、必須の薬剤である前記の高級脂肪酸塩もアニオン性である。両性のものについては、アルキルジメチルアミンオキシド、アルキルカルボキシベタインを例示することができる。ノニオン性のものについては、ポリオキシエチレンアルキルエーテル、脂肪酸ソルビタンエステル、アルキルポリグルコシド、脂肪酸ジエタノールアミド、アルキルモノグリセリルエーテルを例示することができる。また、フッ素系界面活性剤、シリコーン系界面活性剤も適宜使用することも可能である。また、各種界面活性剤によって表面張力が異なるが、必ずしも表面張力と減摩効果に相関関係が認められないため、適宜所望の減摩効果に応じて界面活性剤及びその併用比率を選定することが好ましい。
【００４６】
ワックスとしては、植物性ワックス、動物性ワックス、モンタンワックス、パラフィンワックス、炭化水素系合成ワックス、高級脂肪酸エステル、脂肪酸アミド、ケトン・アミン類、水素硬化油などの合成ワックス、ポリプロピレン、ポリテトラフルオロエチレン重合体などの脂肪族炭化水素又はその誘導体の中から適宜選択することができるが、本発明の効果を損なわない範囲であれば、特に限定されない。
【００４７】
有機ケイ素化合物としては、ポリアルキルシロキサン又はその誘導体、ジメチルシリコーン、メチルフェニルシリコーンオイル、アルキル変性シリコーンオイル、アルキル・アラルキル変性シリコーンオイル、アミノ変性シリコーンオイル、ポリエーテル変性シリコーンオイル、高級脂肪酸変性シリコーンオイル、カルボキル変性シリコーンオイル、フッ素変性シリコーンオイル、エポキシ変性シリコーンオイルなどの低分子又は高分子シリコーンオイル、シリコーンゴムなどの中から適宜選択することができるが、本発明の効果を損なわない範囲であれば、特に限定されない。
【００４８】
本実施形態においては、光沢発現層は結着剤としてシラノール変性ポリビニルアルコールを含有することが好ましい。光沢発現層の塑性変形度を極小に抑えるためには、光沢発現層中の結着剤成分、すなわち樹脂成分をできるだけ増やす必要がある。本発明者らの鋭意検討の結果、塗工層の塑性変形を極小に抑えるにはポリビニルアルコールが最も効果がある樹脂であることが判明したが、通常の無変性ポリビニルアルコールだけでは成膜性が強すぎてインク吸収性が低下する場合がある。シラノール変性ポリビニルアルコールは、シラノール基を有するために無機物に対する接着性が極めて高い。そのために凝固力が強く、添加量が比較的少量であっても塗工膜が強固になり、かつ、インク吸収性に優れる傾向がある。したがって、前記した耐傷性が弱い顔料を光沢発現層に用いた場合でも、耐傷性とインク吸収性を高いレベルで両立することが可能である。本実施形態で使用するシラノール変性ポリビニルアルコールの変性度及び重合度は、適宜選択することができる。本実施形態においては、シラノール変性ポリビニルアルコールの添加量が、顔料１００質量部に対して、１〜１０質量部であることが好ましい。インク吸収性と光沢発現層表面の耐傷性のバランスから考慮すると、より好ましくは２〜８質量部であり、特に好ましくは、３〜７質量部である。１質量部未満では、光沢発現層の耐傷性が劣る場合があり、添加量が１０質量部を超えると、インク吸収性に劣る場合がある。また、塗工液の安定性が劣る傾向にあり、塗工性に問題が発生する場合がある。また、光沢発現層には、結着剤としてシラノール変性ポリビニルアルコール以外の公知の結着剤を併用することができる。
【００４９】
併用することができる公知の結着剤は、ポリビニルアルコール、カルボキシル変性ポリビニルアルコールなどの変性ポリビニルアルコール、ポリビニルアセタール、酸化澱粉、エーテル化澱粉、カルボキシメチルセルロース、ヒドロキシエチルセルロース、カゼイン、ゼラチン、大豆タンパク、ポリエチレンイミド系樹脂、ポリビニルピロリドン系樹脂、ポリアクリル酸又はその共重合体、無水マレイン酸共重合体、アクリルアミド系樹脂、アクリル酸エステル系樹脂、ポリアミド系樹脂、アクリル系樹脂、スチレン−アクリル系樹脂、ポリウレタン系樹脂、ポリエステル系樹脂、ポリビニルブチラール系樹脂、アルキッド樹脂、エポキシ系樹脂、エピクロルヒドリン系樹脂、尿素樹脂、メラミン樹脂、スチレン−ブタジエン共重合体、メチルメタクリレート−ブタジエン共重合体、アクリル酸エステル、メタアクリル酸エステルの重合体又は共重合体などのアクリル系重合体ラテックス類、エチレン−酢酸ビニル共重合体などのビニル系重合体ラテックス類、コロイダルシリカとアクリル樹脂の複合体樹脂、コロイダルシリカとスチレン−アクリル樹脂の複合体樹脂が例示される。これらは、単独又は併用して用いることができる。インク吸収性と優れた光沢感とを両立するという観点からポリビニルアルコールを含有することが好ましいが、前述のとおり、成膜性の強さから、無変性ポリビニルアルコールの添加量は、光沢発現層の全結着剤のうち、乾燥質量で８０質量％以下とすることが好ましい。光沢発現層中の全結着剤の使用量は、インクジェット記録媒体の印字適性、光沢発現層の強度、表面光沢感、塗工液の液性などを考慮して決定される。通常、顔料１００質量部に対して、１〜１００質量部の範囲で添加される。好ましくは、５〜６０質量部程度の範囲で添加され、更に好ましくは１０〜５０質量部である。１質量部未満であると、塗工層強度が低下する場合がある。１００質量部を超えると、インク吸収性が低下する場合がある。
【００５０】
また更に、光沢発現層には、インクジェット記録用インクを定着させるためのインク定着剤としてカチオン性ポリマーを添加することが好ましい。分散剤、増粘剤、防腐剤、消泡剤、着色染料、着色顔料、蛍光増白剤、耐水化剤、酸化防止剤、紫外線吸収剤などの各種助剤を適宜選定して添加することができる。
【００５１】
光沢発現層は、気相法シリカと単分散球状コロイダルシリカとを含有する顔料と結着剤とを含有し、かつ、前記単分散球状コロイダルシリカの平均粒子径が５０〜３００ｎｍである光沢発現層用塗工液を塗工した後、キャストコート法によって設ける。光沢発現層用塗工液の塗工方法としては、エアナイフコーター、ロールコーター、リバースロールコーター、バーコーター、コンマコーター、ブレードコーター、同時多層塗工機などの公知の塗工機があるが、いずれのものを用いてもよい。塗工量は、固形分換算で３〜２０ｇ／ｍ２、好ましくは５〜１５ｇ／ｍ２の範囲が好ましい。塗工量が２０ｇ／ｍ２を超えると、生産性が劣る場合があり、塗工量が３ｇ／ｍ２未満では、十分な光沢面が得られない場合がある。
【００５２】
光沢発現層は、公知のキャストコート法によって形成する。キャストコート法には、ウェット法、凝固法、リウェット法が知られており、本実施形態においては凝固法であることが好ましい。凝固法は、光沢発現層を塗工し、得られた塗工面が湿潤状態にあるうちに凝固液を塗布して凝固処理し、加熱した鏡面仕上げの金属面に圧着して乾燥して形成する方法である。ここで、凝固液とは、凝固剤の水溶液をいう。凝固剤は、塗工層の結着剤成分と効果的に凝固するものを選定することが重要であり、本実施形態においてはホウ素化合物が好ましい。より好ましくは、ホウ酸ナトリウム若しくはホウ酸のいずれか一方又はその両方である。より均一な光沢面を得ることができる。また、凝固液の濃度は、０．１質量％以上であることが好ましい。０．１質量％未満の場合には、凝固力が不足する場合がある。より好ましくは、０．５質量％以上である。１．０質量％以上とすることで、凝固力がより強くなり、耐傷性をより良化することができるため、特に好ましい。なお、凝固液の濃度の上限値は、作業性及びコストの点から１０質量％とすることが好ましい。凝固剤の含有量は、凝固しうる結着剤に対して５質量％以上が好ましい。より好ましくは、１０質量％以上であり、特に好ましくは、２０質量％である。５質量％未満の場合は、表面強度が低下する恐れがある。
【００５３】
本実施形態に係るインクジェット記録用光沢紙では、前記光沢発現層を形成するキャストコート法が凝固法であり、かつ、凝固液が、前記凝固剤を含有し、かつ、前記潤滑剤として高級脂肪酸塩とポリエチレンエマルジョンとを含有していることが好ましい。より光沢発現層表面の潤滑性に優れ、プリンター搬送傷を低減させることが可能となる。凝固法は、前述のとおり耐傷性をより高めることができ、また、凝固液に潤滑剤を含有させることで、新たな工程を増やすことなく、経済的に有利に光沢発現層に潤滑剤を含有させることができる。さらに、凝固液にインクを定着させるためのカチオン性ポリマーを添加することも可能である。また、光沢発現層の塗工から凝固液を塗布するまでの時間、凝固液を塗布してキャストドラムに到達するまでの時間、キャストドラム温度、圧着するときの圧力又はライン速度を調整することによって、光沢発現層の光沢度をより高めることができる。これらの諸条件については、使用する設備、塗布液に応じて最適条件を求めることで適性化する必要がある。
【００５４】
また、キャスト処理後にマシンカレンダー、ソフトカレンダー、スーパーカレンダーなどのカレンダー処理を行ってもよいし、カール調整のため、裏面に水、カール調整剤などを塗工したり、加湿したりしてカール調整を行うこともできる。
【００５５】
さらに、ＪＩＳ  Ｈ  ８６８６−２：１９９９「アルミニウム及びアルミニウム合金の陽極酸化皮膜の写像性試験方法」による光学くし幅２ｍｍ入反射角度６０°による条件の光沢発現層の写像性が５０％以上であることが光沢感の観点から好ましい。さらに好ましくは、写像性が５５％以上である。写像性が６０％以上であれば、更に優れた光沢感を有するといえる。ここで、入反射角度を当該ＪＩＳ記載の４５°を６０°と変更した理由は、光沢感の差異を評価しやすくするためである。
【００５６】
本実施形態のインクジェット記録用光沢紙は、光沢発現層の下に１層以上のインク受容層を設けることが経済性及びインク吸収性の観点から必要である。インク受容層は、白色顔料と結着剤成分とを主成分とする。
【００５７】
インク受容層に用いる顔料としては、本実施形態では特に限定されず、公知の白色顔料を１種以上含むものであり、例えば、カオリン、タルク、炭酸カルシウム、炭酸マグネシウム、硫酸バリウム、硫酸カルシウム、二酸化チタン、酸化亜鉛、硫酸亜鉛、炭酸亜鉛、珪酸カルシウム、珪酸アルミニウム、珪酸マグネシウム、珪藻土、水酸化アルミニウム、水酸化マグネシウム、サチンホワイト、合成シリカ、コロイダルシリカ、アルミナなどの白色無機顔料、アクリル、スチレン、エチレン、塩化ビニル、ナイロンなどの有機顔料が挙げられる。この中で、インク吸収性の点から、合成シリカを用いることが特に好ましい。また、これらの顔料は、単独又は２種類以上を適宜選択して使用することができる。
【００５８】
インク受容層に含有させる結着剤は、ポリビニルアルコール、シラノール変性ポリビニルアルコール、カルボキシル変性ポリビニルアルコールなどの変性ポリビニルアルコール、ポリビニルアセタール、酸化澱粉、エーテル化澱粉、カルボキシメチルセルロース、ヒドロキシエチルセルロース、カゼイン、ゼラチン、大豆タンパク、ポリエチレンイミド系樹脂、ポリビニルピロリドン系樹脂、ポリアクリル酸又はその共重合体、無水マレイン酸共重合体、アクリルアミド系樹脂、アクリル酸エステル系樹脂、ポリアミド系樹脂、ポリウレタン系樹脂、ポリエステル系樹脂、ポリビニルブチラール系樹脂、アルキッド樹脂、エポキシ系樹脂、エピクロルヒドリン系樹脂、尿素樹脂、メラミン樹脂、スチレン−ブタジエン共重合体、メチルメタクリレート−ブタジエン共重合体、アクリル酸エステル、メタアクリル酸エステルの重合体又は共重合体などのアクリル系重合体ラテックス類、エチレン−酢酸ビニル共重合体などのビニル系重合体ラテックス類が例示され、単独又は併用して用いられる。特に、ポリビニルアルコールとエチレン−酢酸ビニル共重合体とを併用することが好ましい。結着剤の使用量は、インクジェット記録媒体の印字適性、インク受容層の強度、塗工液の特性を考慮して決定される。通常、顔料１００質量部に対して、１〜２００質量部の範囲で添加される。好ましくは、５〜１００質量部程度の範囲で添加される。１質量部未満であると、塗工層強度が低下する場合がある。２００質量部を超えると、インク吸収性が低下する場合がある。
【００５９】
インク受容層には、前記顔料及び前記結着剤以外にカチオン性ポリマーを添加することが好ましい。カチオン性ポリマーの作用としては、インク中に使用されている染料中のアニオン性の成分と反応することによって水に不溶な塩を形成することから、染料インクをインク受容層に、より強固に定着させ、耐水性が向上する。このようなカチオン性ポリマーとしては、ポリエチレンイミン、エピクロルヒドリン変性ポリアルキルアミン、ポリアミン、ポリアミンポリアミドエピクロルヒドリン、ジメチルアミンアンモニアエピクロルヒドリン、ポリビニルベンジルトリメチルアンモニウムハライド、ポリジアクリルジメチルアンモニウムハライド、ポリジメチルアミノエチルメタクリレート塩酸塩、ポリビニルピリジウムハライド、カチオン性ポリアクリルアミド、カチオン性ポリスチレン共重合体、ジアリルジメチルアンモニウムクロライド重合物、ジアリルジメチルアンモニウムクロライド二酸化硫黄共重合物、ジアリルジメチルアンモニウムクロライドアミド共重合物、ジシアンジアミドホルマリン重縮合物、ジシアンジアミドジエチレントリアミン重縮合物、ポリアリルアミン、ポリアリルアミン塩酸塩、ポリアクリルアミド系樹脂、ポリアミドエポキシ樹脂、メラミン樹脂酸コロイド、尿素系樹脂、カチオン変性ポリビニルアルコール、アミノ酸型両性界面活性剤、ベタイン型化合物、その他第４級アンモニウム塩類などが用いられる。添加量は、特に限定されないが、顔料１００質量部に対して、１〜５０質量部の範囲で使用される。好ましくは、５〜４０質量部程度の範囲で添加される。１質量部未満であると、印画部の耐水性が低下する場合がある。５０質量部を超えると、インク吸収性が劣る場合がある。
【００６０】
その他の助剤としては、必要に応じて消泡剤、分散剤、湿潤剤、蛍光増白剤、着色染料、着色顔料、増粘剤、防腐剤、耐水化剤、紫外線吸収剤、酸化防止剤などを添加・使用できる。
【００６１】
インク受容層は、前記の顔料、結着剤などインク受容層に含有される各種成分を配合し、適当な固形分濃度に調整したインク受容層用塗工液を塗工後、乾燥して設けることができる。インク受容層を形成する塗工液の塗工方法としては、エアナイフコーター、ロールコーター、バーコーター、コンマコーター、ブレードコーター、同時多層塗工機などの公知の塗工機があるが、いずれのものを用いてもよい。塗工量は、特に限定されないが、５〜２０ｇ／ｍ２とすることが好ましい。より好ましくは、６〜１５ｇ／ｍ２である。５ｇ／ｍ２未満では、インク吸収性が劣る場合があり、２０ｇ／ｍ２を超えると、光沢発現層塗工時にバインダーマイグレーションが発生し、光沢発現層表面の耐傷性が低下する場合がある。また、インク受容層を形成する塗工液を２回以上塗工して、インク受容層を２層以上で構成してもよい。
【００６２】
塗工後の乾燥方式としては、熱風乾燥、赤外乾燥、ドラム乾燥などが挙げられるが、本実施形態においては特に限定されない。
【００６３】
必要に応じてインク受容層の乾燥後に一定の平滑性を出すために、スーパーカレンダー、マシンカレンダー、ソフトカレンダーなど公知のカレンダー装置によって処理することが可能である。
【００６４】
インク受容層及び光沢発現層は、紙基材の片面だけでなく、両面に設けてもよい。両面印刷用インクジェット記録用光沢紙とすることができる。
【００６５】
本実施形態で使用する透気性を有する紙基材としては、上質紙、中質紙、白板紙などを用いることができる。また、酸性紙又は中性紙を使用してもよい。ただし、保存時の耐変色性に優れている傾向があることから、酸性紙を使用することがより好ましい。ここで、酸性紙とは、タルク、カオリンクレーなどの填料と硫酸バンドなどの酸性薬品とを添加して抄紙した紙をいう。硫酸バンドを例にすれば、それが紙の中で水分と反応して硫酸を生じ、紙を酸性にすることによる。
【００６６】
紙基材の紙料に用いられるパルプとしては、広葉樹漂白サルファイトパルプ（ＬＢＳＰ）、広葉樹漂白クラフトパルプ（ＬＢＫＰ）、針葉樹漂白サルファイトパルプ（ＮＢＳＰ）、針葉樹漂白クラフトパルプ（ＮＢＫＰ）、脱墨パルプ（ＤＩＰ）などの木材パルプが有利に用いられる。また、必要に応じて、木材パルプ以外に、非木材パルプ、合成パルプ、合成繊維などを用いてもよい。また、燃料としてリサイクルされる場合を考慮し、塩素含有量の少ないＥＣＦ（Ｅｌｅｍｅｎｔａｌ  Ｃｈｌｏｒｉｎｅ  Ｆｒｅｅ）パルプ又はＴＣＦ（Ｔｏｔａｌｌｙ  Ｃｈｌｏｒｉｎｅ  Ｆｒｅｅ）パルプの使用が望ましい。
【００６７】
前記パルプは、適切な叩解度を有する紙料とする。各層のパルプの叩解度は、本実施形態では、限定されるものではないが、カナダ標準ろ水度（フリーネス）（ＪＩＳ  Ｐ  ８１２１：１９９５「パルプのろ水度試験方法」）で、３５０〜６００ｍｌＣＳＦとすることが好ましい。より好ましくは、４００〜５８０ｍｌＣＳＦである。３５０ｍｌＣＳＦ未満では、パルプの繊維間結合が強くなるため空隙率が減少し、透気抵抗度の増加及びインク吸収性の低下が生じる傾向がある。６００ｍｌＣＳＦを超えると、紙基材の強度が低下し、ギロチン断裁時に紙粉が発生しやすくなる。
【００６８】
前記紙料には、填料を含有させることが好ましい。使用する填料としては、重質炭酸カルシウム、軽質炭酸カルシウム、炭酸マグネシウム、酸化チタン、合成シリカ、アルミナ、タルク、焼成カオリンクレー、カオリンクレー、ベントナイト、ゼオライト、水酸化アルミニウム、酸化亜鉛などの公知の填料を使用することが可能である。
【００６９】
また、紙料中には前記パルプ、填料以外にも公知の紙力剤、硫酸バンド、歩留まり向上剤、サイズ剤、染料、蛍光染料などの各種抄紙用薬品を適宜用いることができる。各紙料の調成方法、配合、各抄紙薬品の添加方法については、本実施形態の効果を損なうものでなければ特に限定されない。また、前記紙料を用いて円網抄紙機、長網抄紙機、ツインワイヤー抄紙機などの公知の抄紙機を適用して単層又は多層で抄造することも可能である。
【００７０】
また、光沢発現層用塗工液の過度の浸透を抑えるために、紙基材には、サイズプレスなどで澱粉、ポリビニルアルコール、ポリアクリルアミドなどの公知の水溶性高分子を塗布することが好ましい。
【００７１】
紙基材の厚さは、本実施形態では特に限定されないが、１００〜３６０μｍであることが好ましい。より好ましくは、１２０〜３４０μｍである。また、坪量は、１００〜３００ｇ／ｍ２であることが好ましく、より好ましくは、１２０〜２８０ｇ／ｍ２である。
【００７２】
このようにして製造された紙基材に直接インク受容層を設けてもよいが、本実施形態では、紙基材の表面を平滑化する目的で、予めマシンカレンダー、ソフトカレンダー、ラスターなどの処理を施すのが好ましい。
【実施例】
【００７３】
次に、実施例を挙げて本発明をより具体的に説明するが、本発明はこれら実施例に限定されるものではない。また、例中の「部」、「％」は、特に断らない限りそれぞれ「質量部」、「質量％」を示す。
【００７４】
（実施例１）
（紙基材の形成）
広葉樹漂白クラフトパルプ（カナダ標準ろ水度５２０ｍｌＣＳＦ）１００部に対して、乾燥質量でグラフト化澱粉（ＤＧ４２０４、グラフト成分の自家変性タピオカ澱粉と幹成分のアニオン架橋ポリアミドとが１：１でグラフト重合された分子量２００万のグラフト化澱粉共重合体：星光ＰＭＣ社製）１．０部と、酸性ロジンサイズ剤０．２部と、液体硫酸バンド１．０部と、灰分５％になるように添加量を調整したタルク（タルクＮＴＬ：日本タルク社製）と、を配合して紙料を得た。この紙料を長網抄紙機にて抄造し、紙匹を得た。その後、サイズ液としてポリアクリルアミド（ＳＴ５０００：星光ＰＭＣ社製）を前記紙匹の両面に乾燥塗布量が片面当たり１．５ｇ／ｍ２となるようにサイズプレスで塗布し、シリンダードライヤーで乾燥した。その後、スチールカレンダーを用いて線圧４０ｋｇ／ｃｍ、２５℃、２ニップ１パスの条件で表面処理を行い、坪量１８０ｇ／ｍ２のインクジェット用紙基材を製造した。
【００７５】
（インク受容層の形成）
この紙基材の片面に、顔料として合成シリカ（ミズカシルＰ−７８Ａ：水澤化学工業社製）１００部と、結着剤としてポリビニルアルコール（ＰＶＡ１１７：クラレ社製）１０．０部と、エチレン−酢酸ビニル（ポリゾールＥＶＡ  ＡＤ−１０：昭和高分子社製）４５．０部と、カチオン性ポリマー（パピオゲンＰ−１０５：センカ社製）３０．０部と、を配合し、工業用水で固形分濃度２２％に調整してインク受容層用塗工液を得た。このインク受容層用塗工液をエアナイフコーターで絶乾塗工量１０ｇ／ｍ２となるように塗工・乾燥してインク受容層を形成した。
【００７６】
（光沢発現層の形成）
次いで、顔料として単分散球状コロイダルシリカ（スノーテックスＡＫ−ＹＬ、平均粒子径１２０ｎｍ：日産化学工業社製）３０．０部と、気相法シリカ（レオロシールＱＳ−３０、ＢＥＴ比表面積３００ｍ２／ｇ：トクヤマ社製）７０．０部と、結着剤としてシラノール変性ポリビニルアルコール（ＰＶＡ−Ｒ２１０５：クラレ社製）５．０部と、ポリビニルアルコール（ＰＶＡ−２３５：クラレ社製）５．０部と、アクリル樹脂（ビニブラン２５８０：日信化学工業社製）１５．０部と、インク定着剤としてカチオン性ポリマー（スミレーズレジン１００１：住友化学工業社製）１０．０部と、を配合し、工業用水で固形分濃度２０％に調整して光沢発現層用塗工液を得た。この光沢発現層用塗工液をエアナイフコーターで絶乾塗工量１０ｇ／ｍ２となるように前記基紙のインク受容層形成面に塗工し、次いで凝固剤としてホウ素を１％及びホウ酸ナトリウムを１％と、潤滑剤として高級脂肪酸であるオレイン酸カリウム０．１％及びポリエチレンエマルジョン（メイカテックスＨＰ−７０、融点１１０℃：明成化学工業社製）０．１％と、を含む水溶液を凝固液（凝固液の濃度は２．２％）としてディップコーターで絶乾塗布量１．０ｇ／ｍ２となるように塗布して凝固処理を行った後、得られた塗工層表面が湿潤状態にあるうちに表面温度１０５℃のキャストドラムに圧着し、実施例１のインクジェット記録用光沢紙を作製した。なお、高級脂肪酸又はポリエチレンエマルジョンの添加量は、光沢発現層の全顔料に対して、乾燥質量でそれぞれ１．２％であった。
【００７７】
（実施例２）
【００７８】
実施例１において、凝固液に配合する高級脂肪酸をラウリン酸ナトリウムに変更した以外は、実施例１に記載したとおりの条件でインクジェット記録用光沢紙を作製した。
【００７９】
（実施例３）
実施例１において、凝固液に配合する高級脂肪酸をパルミチン酸カリウムに変更した以外は、実施例１に記載したとおりの条件でインクジェット記録用光沢紙を作製した。
【００８０】
（実施例４）
実施例１において、凝固液を、凝固剤としてホウ酸１．０％及びホウ酸ナトリウム１．０％と、潤滑剤として高級脂肪酸であるオレイン酸カリウム１．０％及びポリエチレンエマルジョン（メイカテックスＨＰ−７０、融点１１０℃：明成化学工業社製）１．０％と、を含む水溶液（凝固液の濃度は４．０％）とした以外は、実施例１に記載したとおりの条件でインクジェット記録用光沢紙を作製した。なお、高級脂肪酸又はポリエチレンエマルジョンの添加量は、光沢発現層の全顔料に対して、乾燥質量でそれぞれ６．８％であった。
【００８１】
（実施例５）
実施例１において、凝固液を、凝固剤としてホウ酸１．０％及びホウ酸ナトリウム１．０％と、潤滑剤として高級脂肪酸であるオレイン酸カリウム０．０１％及びポリエチレンエマルジョン（メイカテックスＨＰ−７０、融点１１０℃：明成化学工業社製）０．０１％と、を含む水溶液（凝固液の濃度は２．０２％）とした以外は、実施例１に記載したとおりの条件でインクジェット記録用光沢紙を作製した。なお、高級脂肪酸又はポリエチレンエマルジョンの添加量は、光沢発現層の全顔料に対して、乾燥質量でそれぞれ０．１３％であった。
【００８２】
（実施例６）
実施例１において、凝固液に配合する高級脂肪酸をオレイン酸アンモニウムに変更した以外は、実施例１に記載したとおりの条件でインクジェット記録用光沢紙を作製した。
【００８３】
（実施例７）
実施例１において、凝固液に配合するポリエチレンエマルジョンをポリエチレンエマルジョン（ポリレンＮ−２０、融点１０５℃：大京化学社製）に変更した以外は、実施例１に記載したとおりの条件でインクジェット記録用光沢紙を作製した。
【００８４】
（実施例８）
実施例１において、光沢発現層用塗工液の顔料を単分散球状コロイダルシリカ（ＭＰ−２０４０、平均粒子径２００ｎｍ：日産化学工業社製）３０．０部と、気相法シリカ（レオロシールＱＳ−３０、ＢＥＴ比表面積３００ｍ２／ｇ：トクヤマ社製）７０．０部とした以外は、実施例１に記載したとおりの条件でインクジェット記録用光沢紙を作製した。
【００８５】
（実施例９）
実施例１において、光沢発現層用塗工液の顔料を単分散球状コロイダルシリカ（ＭＰ−３０４０、平均粒子径３００ｎｍ：日産化学工業社製）３０．０部と、気相法シリカ（レオロシールＱＳ−３０、ＢＥＴ比表面積３００ｍ２／ｇ：トクヤマ社製）７０．０部とした以外は、実施例１に記載したとおりの条件でインクジェット記録用光沢紙を作製した。
【００８６】
（実施例１０）
実施例１において、光沢発現層用塗工液の顔料を単分散球状コロイダルシリカ（スノーテックスＯＬ、平均粒子径５０ｎｍ：日産化学工業社製）３０．０部と、気相法シリカ（レオロシールＱＳ−３０、ＢＥＴ比表面積３００ｍ２／ｇ：トクヤマ社製）７０．０部とした以外は、実施例１に記載したとおりの条件でインクジェット記録用光沢紙を作製した。
【００８７】
（実施例１１）
実施例１において、光沢発現層用塗工液の顔料を単分散球状コロイダルシリカ（スノーテックスＡＫ−ＹＬ、平均粒子径１２０ｎｍ：日産化学工業社製）３０．０部と、気相法シリカ（レオロシールＱＳ−４０、ＢＥＴ比表面積３８０ｍ２／ｇ：トクヤマ社製）７０．０部とした以外は、実施例１に記載したとおりの条件でインクジェット記録用光沢紙を作製した。
【００８８】
（実施例１２）
実施例１において、光沢発現層用塗工液の顔料を単分散球状コロイダルシリカ（スノーテックスＡＫ−ＹＬ、平均粒子径１２０ｎｍ：日産化学工業社製）３０．０部と、気相法シリカ（レオロシールＱＳ−１０２、ＢＥＴ比表面積２００ｍ２／ｇ：トクヤマ社製）７０．０部とした以外は、実施例１に記載したとおりの条件でインクジェット記録用光沢紙を作製した。
【００８９】
（実施例１３）
実施例１において、光沢発現層用塗工液の結着剤をシラノール変性ポリビニルアルコール（ＰＶＡ−Ｒ２１０５：クラレ社製）１．０部と、ポリビニルアルコール（ＰＶＡ−２３５：クラレ社製）５．０部と、アクリル樹脂（ビニブラン２５８０：日信化学工業社製）１５．０部とした以外は、実施例１に記載したとおりの条件でインクジェット記録用光沢紙を作製した。
【００９０】
（実施例１４）
実施例１において、光沢発現層用塗工液の結着剤をシラノール変性ポリビニルアルコール（ＰＶＡ−Ｒ２１０５：クラレ社製）１０．０部と、ポリビニルアルコール（ＰＶＡ−２３５：クラレ社製）５．０部と、アクリル樹脂（ビニブラン２５８０：日信化学工業社製）１５．０部とした以外は、実施例１に記載したとおりの条件でインクジェット記録用光沢紙を作製した。
【００９１】
（実施例１５）
実施例１において、光沢発現層用塗工液の顔料を単分散球状コロイダルシリカ（スノーテックスＡＫ−ＹＬ、平均粒子径１２０ｎｍ：日産化学工業社製）２０．０部と、気相法シリカ（レオロシールＱＳ−３０、ＢＥＴ比表面積３００ｍ２／ｇ：トクヤマ社製）８０．０部とした以外は、実施例１に記載したとおりの条件でインクジェット記録用光沢紙を作製した。
【００９２】
（実施例１６）
実施例１において、光沢発現層用塗工液の顔料を単分散球状コロイダルシリカ（スノーテックスＡＫ−ＹＬ、平均粒子径１２０ｎｍ：日産化学工業社製）７０．０部と、気相法シリカ（レオロシールＱＳ−３０、ＢＥＴ比表面積３００ｍ２／ｇ：トクヤマ社製）３０．０部とした以外は、実施例１に記載したとおりの条件でインクジェット記録用光沢紙を作製した。
【００９３】
（比較例１）
実施例１において、凝固液を、凝固剤としてホウ酸１．０％とホウ酸ナトリウム１．０％とを含む水溶液（凝固液の濃度は２．０％）とした以外は、実施例１に記載したとおりの条件でインクジェット記録用光沢紙を作製した。
【００９４】
（比較例２）
実施例１において、光沢発現層用塗工液の顔料を単分散球状コロイダルシリカ（スノーテックス５０、平均粒子径３０ｎｍ：日産化学工業社製）３０．０部と、気相法シリカ（レオロシールＱＳ−３０、ＢＥＴ比表面積３００ｍ２／ｇ：トクヤマ社製）７０．０部とした以外は、実施例１に記載したとおりの条件でインクジェット記録用光沢紙を作製した。
【００９５】
（比較例３）
実施例１において、光沢発現層用塗工液の顔料を単分散球状コロイダルシリカ（ＭＰ−４５４０Ｍ、平均粒子径４５０ｎｍ：日産化学工業社製）３０．０部と、気相法シリカ（レオロシールＱＳ−３０、ＢＥＴ比表面積３００ｍ２／ｇ：トクヤマ社製）７０．０部とした以外は、実施例１に記載したとおりの条件でインクジェット記録用光沢紙を作製した。
【００９６】
（比較例４）
実施例１において、光沢発現層用塗工液の顔料を単分散球状コロイダルシリカ（スノーテックスＡＫ−ＹＬ、平均粒子径１２０ｎｍ：日産化学工業社製）１００部とした以外は、実施例１に記載したとおりの条件でインクジェット記録用光沢紙を作製した。
【００９７】
（比較例５）
実施例１において、光沢発現層用塗工液の顔料を気相法シリカ（レオロシールＱＳ−３０、ＢＥＴ比表面積３００ｍ２／ｇ：トクヤマ社製）１００部とした以外は、実施例１に記載したとおりの条件でインクジェット記録用光沢紙を作製した。
【００９８】
（比較例６）
実施例１において、光沢発現層用塗工液の顔料をアルミナ（ＴＭ−３００、ＢＥＴ比表面積２２０ｍ２／ｇ、結晶形−γ型：大明化学工業社製）１００部とした以外は、実施例１に記載したとおりの条件でインクジェット記録用光沢紙を作製した。
【００９９】
（比較例７）
実施例１において、光沢発現層用塗工液の顔料を球状コロイダルシリカが複数個パールネックレス状に連結した非球状コロイダルシリカ（スノーテックスＰＳ−ＭＯ、１次粒子径１８〜２５ｎｍ、２次粒子径８０〜１５０ｎｍ：日産化学工業社製）１００部とした以外は、実施例１に記載したとおりの条件でインクジェット記録用光沢紙を作製した。
【０１００】
得られたインクジェット記録用光沢紙について、次の方法によって評価を行った。結果を表１（実施例）及び表２（比較例）に示した。
【０１０１】
【表１】
2011161841.tif 000002
【０１０２】
【表２】
2011161841.tif 000003
【０１０３】
（１）光沢発現層表面の摩擦係数：
得られたインクジェット記録用光沢紙の光沢発現層表面同士の摩擦係数を測定した。摩擦係数は、ＪＩＳ  Ｐ  ８１４７：１９９４「紙及び板紙の摩擦係数試験方法」に準じて測定した。なお、試験片の測定面については、光沢発現層同士の組合せとし、紙の縦横については、縦と縦との組合せとした。ストログラフ（ＳＴＲＯＧＲＡＰＨ−Ｒ２、東洋精機社製）を用いて測定し、静摩擦係数及び動摩擦係数を求めた。
【０１０４】
（２）光沢発現層表面の写像性（写像性）：
得られたインクジェット記録用紙の光沢発現層表面の鏡面性を評価するために写像性を測定した。写像性は、ＪＩＳ  Ｈ  ８６８６−２：１９９９「アルミニウム及びアルミニウム合金の陽極酸化皮膜の写像性試験方法−第２部：機器測定法」に準じて、光学くし幅２ｍｍにて入反射角度６０°とし、写像性測定器（ＩＣＭ−１Ｔ：スガ試験機社製）にて測定した。評価としては、次のとおりである。
写像性が５０％以上：反射した像が鮮明に写り、光沢感に優れ、実用できる。
写像性が５０％未満：反射した像が不鮮明に写り、光沢感に劣り、光沢紙として実用上問題がある。
【０１０５】
（３）染料インクの画像鮮明性：
ＩＳＯ標準画像（ＩＳＯ／ＪＩＳ−ＳＣＩＤ高精細カラーデジタル標準画像データ、画像の名称：ポートレート、画像の識別番号：Ｎ１）をセイコーエプソン社製染料インク専用インクジェットプリンター「ＰＭ−Ｔ９６０」を用い、得られたインクジェット記録用紙に印字した。印字した画像を目視によって評価した。
◎：記録画像が非常に鮮明でコントラストがはっきりしており、実用できる。
○：記録画像が鮮明でコントラストがはっきりしており、実用できる。
△：記録画像が鮮明であるがコントラストがはっきりしなく、色が沈んでおり、実用上問題がある。
×：記録画像が不鮮明で、色が沈んでおり、実用上不可。
【０１０６】
（４）染料インクの吸収性：
セイコーエプソン社製染料インク専用インクジェットプリンター「ＰＭ−Ｔ９６０」を用い、ＣＭＹＫの各インク並びにＲＧＢ（Ｒｅｄ−Ｇｒｅｅｎ−Ｂｌｕｅ）のベタ（１００％濃度）及び文字を得られたインクジェット記録用紙に印字した。ベタ部の各色の境界及び文字のにじみの程度を目視によって評価した。
◎：境界がくっきりしてにじみが全く無く、文字が鮮明であり、実用できる。
○：境界のにじみが目立たず、文字が鮮明であり、実用できる。
△：境界のにじみが目立ち、文字が不鮮明で実用上問題がある。
×：境界のにじみがひどく、文字が判別できなくなり実用上不可。
【０１０７】
（５）顔料インクの画像鮮明性：
ＩＳＯ標準画像（ＩＳＯ／ＪＩＳ−ＳＣＩＤ高精細カラーデジタル標準画像データ、画像の名称：ポートレート、画像の識別番号：Ｎ１）をセイコーエプソン社製顔料インク専用インクジェットプリンター「ＰＸ−Ｇ９００」を用い、得られたインクジェット記録用紙に印字した。印字した画像を目視によって評価した。
◎：記録画像が非常に鮮明でコントラストがはっきりしており、実用できる。
○：記録画像が鮮明でコントラストがはっきりしており、実用できる。
△：記録画像が鮮明であるがコントラストがはっきりしなく、色が沈んでおり、実用上問題がある。
×：記録画像が不鮮明で、色が沈んでおり、実用上不可。
【０１０８】
（６）顔料インクの吸収性：
セイコーエプソン社製顔料インク専用インクジェットプリンター「ＰＸ−Ｇ９００」を用い、ＣＭＹＫの各インク並びにＲＧＢ（Ｒｅｄ−Ｇｒｅｅｎ−Ｂｌｕｅ）のベタ（１００％濃度）及び文字を得られたインクジェット記録用紙に印字した。ベタ部の各色の境界及び文字のにじみの程度を目視によって評価した。
◎：境界がくっきりしてにじみが全く無く、文字が鮮明であり、実用できる。
○：境界のにじみが目立たず、文字が鮮明であり、実用できる。
△：境界のにじみが目立ち、文字が不鮮明で実用上問題がある。
×：境界のにじみがひどく、文字が判別できなくなり実用上不可。
【０１０９】
（７）光沢発現層表面の耐傷性：
ＩＳＯ標準画像（ＩＳＯ／ＪＩＳ−ＳＣＩＤ高精細カラーデジタル標準画像データ、画像の名称：ポートレート、画像の識別番号：Ｎ１）をヒューレットパッカード社製インクジェットプリンター「Ｐｈｏｔｏｓｍａｒｔ  Ｃ５３８０」を用い、得られたインクジェット記録用紙に印字したときの、光沢発現層表面の擦り傷の度合いを目視評価した。
◎：擦り傷が全く無く良好であり、実用できる。
○：擦り傷が僅かに認められるが目立たず、実用できる。
△：擦り傷が明らかに認められ、実用上問題がある。
×：擦り傷が著しく認められ、実用上不可。
【０１１０】
表１から明らかなように、実施例１〜１６は、比較例１〜７に比べて染料インク及び顔料インクのインク吸収性及び画像鮮明性と光沢面の光沢感とに優れ、かつ、光沢発現層の耐傷性に優れていた。
【０１１１】
比較例１は、潤滑剤である高級脂肪酸塩とポリエチレンエマルジョンとの両方が光沢発現層に含まれなかったために耐傷性に劣った。比較例２は、光沢発現層の顔料である単分散球状コロイダルシリカの平均粒子径が５０ｎｍ未満であったために光沢発現層の耐傷性に劣った。比較例３は、光沢発現層の顔料である単分散球状コロイダルシリカの平均粒子径が３００ｎｍを超えていたために顔料インク適性に劣った。比較例４は、光沢発現層の顔料に気相法シリカが含まれていなかったために顔料インク適性に劣った。比較例５は、光沢発現層の顔料に単分散球状コロイダルシリカが含まれていなかったために光沢発現層の耐傷性に劣った。比較例６及び７は光沢発現層の顔料として単分散球状コロイダルシリカと気相法シリカとを含有していなかったために染料インク及び顔料インク適性と光沢発現層の耐傷性とを両立できなかった。